(57)【要約】【課題】着脱する配線に一時的に装着することで、複数の配線端子を安全かつ容易に着脱でき、着脱する配線端子側と固定する側の保持具・支持具の色を区別することにより配線の誤認を防止でき、ねじの落下を防止する。【解決手段】配電盤ｄに配線端子ｗを着脱する際に、配線端子ｗに着脱自在に装着する保持具１と支持具２とから成り、保持具１は、配線端子ｗに装着する保持本体部３と、貫通孔９を開けた端子当て部５と、端子当て部５に着脱自在に連結し得る可動端子当て部６を具備した部材であり、支持具２は、配線端子ｗに装着する支持本体部７を具備した部材である。【選択図】図１
2013128360.tif 000002
【特許請求の範囲】
【請求項１】
配電盤（ｄ）において配線端子（ｗ）を着脱する際に、該配線端子（ｗ）に着脱自在に装着する保持具（１）と支持具（２）とから成る配線端子補助具であって、
前記保持具（１）は、
可撓性を有する材質から成り、前記配線端子（ｗ）を包むように装着する保持本体部（３）と、
該保持本体部（３）の長手方向の一端側に設けた、貫通孔（９）を開けた板状の端子当て部（５）と、
該端子当て部（５）の連結部（１０）で折り曲げ可能になり、かつ該端子当て部（５）に着脱自在に連結し得る板状の可動端子当て部（６）を具備した部材であり、
前記支持具（２）は、
可撓性を有する材質から成り、前記配線端子（ｗ）を包むように装着する支持本体部（７）を具備した部材である、ことを特徴とする配線端子補助具。
【請求項２】
前記可動端子当て部（６）はその一面に突起（８）を具備し、前記端子当て部（５）に該可動端子当て部（６）を重ねた際に、該突起（８）が該端子当て部（５）の貫通孔（９）に嵌脱自在に嵌合する、ことを特徴とする請求項１の配線端子補助具。
【請求項３】
前記保持具（１）と支持具（２）は、着脱する配線端子（ｗ）か、固定している配線端子（ｗ）かを区別するために、異なる色彩にそれぞれ着色した、ことを特徴とする請求項１の配線端子補助具。
【請求項４】
配電盤（ｄ）において着脱する配線端子（ｗ）に装着する前記保持具（１）は赤色に着色し、配電盤（ｄ）に固定している配線端子（ｗ）に装着する前記支持具（２）は青色に着色した、ことを特徴とする請求項３の配線端子補助具。
【請求項５】
前記保持具（１）の保持本体部（３）に形成した第１連結部（１１）と、前記支持具（２）の支持本体部（７）に形成した第２連結部（１２）と、をそれぞれ備え、
前記第１連結部（１１）を前記第２連結部（１２）に着脱自在に連結し得るように構成した、ことを特徴とする請求項１の配線端子補助具。
【発明の詳細な説明】
【技術分野】
【０００１】
本発明は、配電盤において配線端子を着脱作業する際に、配線端子に装着することにより配線端子を安全に着脱し、作業中の配線端子の落下、ねじの落下を防止することができる配線端子補助具に関する。
【背景技術】
【０００２】
配電盤、分電盤等の主回路の電圧、電流を試験計測する際に、その配電盤端子等において配線端子を着脱する。また、機器類の制御盤内に設置される継電器等のように多数の外部配線が結線された機器に対して、この機器から配線を外し、機器を新しい機器に取り替える際に、配電盤から配線端子を取り外し、また取り付ける着脱作業がある。
【０００３】
このような配電盤内の配線端子の着脱作業では、配線端子を保持しながら端子のねじを落下させないように注意して作業をしている。しかし、配電盤の設置されているような狭隘で薄暗い場所での着脱作業は、配線端子を移動させ、配線端子を落下しないようにして作業中にねじを落下させるといった困難な作業を強いられている。ねじの落下を防止できる端子台が提案されているが、これらの端子台はねじを指で押さえていないと落下する構成であり、不十分なものであった。
【０００４】
配電盤から取り外した配線端子は、再度結線するまではフリーとなり固定されていないので、他の配線の作業の邪魔になることが多かった。配線の接続や切り離しのときは、結束をしていないので、ねじを保持すると配線が移動しやすかった。
【０００５】
このような機器の端子から配線を取り外し、その後取り付ける技術に関しては種々提案されている。例えば特許文献１の特開２００４−１８０３８９号公報「誤結線防止配線保持具」に示すように、細長薄板状をなし可撓性を有する材料で作製された配線保持具であって、長手方向に略等間隔に穿孔され配線が貫通可能な穴径の複数の保持孔、前記複数の保持孔に対して各々設けられ第１の長辺と該保持孔との間が切り込まれて形成された複数の案内スリット、前記案内スリットの対向する２辺の内側に該辺に沿って設けられ、可撓性が増すように薄肉とされて形成され、該案内スリットの幅を前記保持孔の径より狭い幅にするとともに所定の力が加わったときに弾性変形して前記配線を該案内スリット内で通過させる第１の薄肉部、前記複数の保持孔の近傍に設けられ該保持孔に挿入された前記配線の線番が記入される線番記入部を有する誤結線防止配線保持具が提案されている。
【先行技術文献】
【特許文献】
【０００６】
【特許文献１】特開２００４−１８０３８９号公報
【発明の概要】
【発明が解決しようとする課題】
【０００７】
配電盤から取り外した配線端子を持ちながら、端子ねじを締めようとすると、ねじが落下し易くなる。例えば、垂直配列の端子台では、ドライバーの先端にねじをつけて水平に構えるとねじが落下し易い。また、配線端子を端子台のそばに寄せておいて、ドライバーにねじを付けて端子台に取り付けようとすると、機器の種類によっては大きな振動が原因して、あるいは接触で配線側が動いて、ねじの締め付けが困難になり、却って手間がかかるという問題は有していた。
【０００８】
更に、配線端子が他所に触れると、短絡・地絡等の事故原因になる可能性がある。ねじを落下させると計器等の端子部で事故を起こす可能性がある。一旦、配電盤にねじを落下させるとこのねじを探し出す作業手間が増えるという問題は有していた。
【０００９】
特許文献１の「誤結線防止配線保持具」では、多くの配線が結線された機器の端子から配線を取り外し、所定の配線を容易に見つけ、誤りなく速やか結線することができるとされているが、このように複数の配線が隣接している端子部分が接触して短絡しやすいという問題は有していた。また、ねじの落下を防止する機能はなかった。
【００１０】
本発明は、かかる問題点を解決するために創案されたものである。すなわち、本発明の目的は、着脱する配線端子に一時的に装着することで、複数の配線端子を安全かつ容易に着脱でき、着脱する配線端子側と固定する側の保持具・支持具の色を区別することにより配線の誤認を防止でき、ねじの落下も防止することができる配線端子補助具を提供することにある。
【課題を解決するための手段】
【００１１】
本発明は、配電盤（ｄ）において配線端子（ｗ）を着脱する際に、該配線端子（ｗ）に着脱自在に装着する保持具（１）と支持具（２）とから成る配線端子補助具であって、前記保持具（１）は、可撓性を有する材質から成り、前記配線端子（ｗ）を包むように装着する保持本体部（３）と、該保持本体部（３）の長手方向の一端側に設けた、貫通孔（９）を開けた板状の端子当て部（５）と、該端子当て部（５）の連結部（１０）で折り曲げ可能になり、かつ該端子当て部（５）に着脱自在に連結し得る板状の可動端子当て部（６）を具備した部材であり、前記支持具（２）は、可撓性を有する材質から成り、前記配線端子（ｗ）を包むように装着する支持本体部（７）を具備した部材である、ことを特徴とする。
例えば、前記可動端子当て部（６）はその一面に突起（８）を具備し、前記端子当て部（５）に該可動端子当て部（６）を重ねた際に、該突起（８）が該端子当て部（５）の貫通孔（９）に嵌脱自在に嵌合するように構成する。
【００１２】
前記保持具（１）と支持具（２）は、着脱する配線端子（ｗ）か、固定している配線端子（ｗ）かを区別するために、異なる色彩にそれぞれ着色することが好ましい。
例えば、配電盤（ｄ）において着脱する配線端子（ｗ）に装着する前記保持具（１）は赤色に着色し、配電盤（ｄ）に固定している配線端子（ｗ）に装着する前記支持具（２）は青色に着色する。
【００１３】
前記保持具（１）の保持本体部（３）に形成した第１連結部（１１）と、前記支持具（２）の支持本体部（７）に形成した第２連結部（１２）と、をそれぞれ備え、前記第１連結部（１１）を前記第２連結部（１２）に着脱自在に連結し得るように構成することができる。
【発明の効果】
【００１４】
上記構成の発明では、配電盤（ｄ）において配線端子（ｗ）を着脱する際に、配線端子（ｗ）に保持具（１）又は支持具（２）を装着することにより、着脱する配線端子（ｗ）か、固定している配線端子（ｗ）かを区別しながら着脱作業できる。
保持具（１）は絶縁性と可撓性を有する材質から成り、端子当て部（５）と可動端子当て部（６）を重ねることができ、配線端子（ｗ）を配電盤（ｄ）から取り外した状態でも、この配線端子（ｗ）の端子部（ｔ）を端子当て部（５）と可動端子当て部（６）で挟むことにより他との接触を回避でき、電気的に安全に着脱作業することができる。
【００１５】
しかも、これらの保持具（１）又は支持具（２）が装着されていることは着脱作業している配線端子（ｗ）であることを意味するので、特に保持具（１）が取り付けられている配線端子（ｗ）は、端子部（ｔ）が取り外された状態を意味するので、接続忘れを防止できる。
保持具（１）と支持具（２）は何れも可撓性を有する材質から成るため、作業対象の配線端子（ｗ）は勿論のことその周囲の作業対象外の配線端子（ｗ）を傷つけるおそれがない。着脱作業が終了した、これらの保持具（１）と支持具（２）は配線端子（ｗ）から簡単に外すことができるので邪魔になることがない。
【００１６】
配電盤（ｄ）において着脱する配線端子（ｗ）には、赤色に着色した保持具（１）を、配電盤（ｄ）に固定している配線端子（ｗ）には、青色に着色した支持具（２）をそれぞれ装着することにより、目視で容易に確認できるようになっているので、目的以外の配線端子（ｗ）を着脱することを防止することができ、配線間違いを防止できる。
しかも、これらの保持具（１）と支持具（２）は個別の部材からなり、第１連結部（１１）を第２連結部（１２）に連結し、また分離できる構造であるため、狭い場所での使用も可能である。
【００１７】
更に、保持具（１）の端子当て部（５）には、可動端子当て部（６）の突起（８）を差し込む貫通孔（９）が開けられているために、落下を防止するためにねじ（ｓ）を挟み込んだ端子当て部（５）の貫通孔（９）からドライバーを差し込んでこのねじ（ｓ）を締め付けることができる。
【図面の簡単な説明】
【００１８】
【図１】実施例１の配線端子補助具を構成する保持具を示し、（ａ）は側面図、（ｂ）は平面図、（ｃ）は正面図である。
【図２】実施例１の配線端子補助具を構成する支持具を示し、（ａ）は側面図、（ｂ）は平面図、（ｃ）は正面図である。
【図３】配電盤から外した配線端子と、これに並列して保持具を装着した配線端子とを示す斜視図である。
【図４】配電盤から外した配線端子に保持具を装着し、配線端子の端子部を端子当て部と可動端子当て部で挟んだ状態を示す斜視図である。
【図５】配電盤に取り付けている配線端子と、これに並列して支持具を装着した配線端子とを示す斜視図である。
【図６】配線端子を装着している支持具と保持具とを第１、第２連結部で連結している状態を示す斜視図である。
【図７】配線端子補助具を構成する保持具でねじの落下を防止している状態を示す側面図である。
【発明を実施するための形態】
【００１９】
本発明の配線端子補助具は、配電盤において配線端子を着脱する際に、配線端子に装着する保持具と支持具とから成り、配電盤から着脱する配線線端子か、固定している配線線端子かを区別しながら作業でき、安全に着脱作業をするための補助具である。
【実施例１】
【００２０】
以下、本発明の実施の形態を図面を参照して説明する。
図１は実施例１の配線端子補助具を構成する保持具を示し、（ａ）は側面図、（ｂ）は平面図、（ｃ）は正面図である。図２は実施例１の配線端子補助具を構成する支持具を示し、（ａ）は側面図、（ｂ）は平面図、（ｃ）は正面図である。
実施例１の配線端子補助具は、配電盤ｄにおいて配線端子ｗを着脱する際に、配線端子ｗに着脱自在に装着する保持具１と支持具２とから成る補助具である。例えば、保持具１は、配電盤ｄから取り外し、取り付ける配線端子ｗに装着する。支持具２は、配電盤ｄに取り付けられている配線端子ｗに装着する。
【００２１】
保持具１と支持具２は、何れも絶縁性と可撓性を有する材質から成る部材である。例えば、合成樹脂製の材質から成り、ある程度の弾力性を有する材質が適している。配線端子ｗに容易に装着し、取り外すことができ、また容易に折り曲げられる材質が適している。
【００２２】
保持具１は、配線端子ｗを構成するリード線Ｌに装着する保持本体部３と、この保持本体部３の長手方向の一端側に設けられた延長部４と端子当て部５と可動端子当て部６を具備した部材である。保持具１の保持本体部３は、配線端子ｗを構成するリード線Ｌに装着し得るように横断面がＣ字形状を有する。この縦長の開口からリード線Ｌを挟み込むように装着する。図１（ｃ）に示すように、保持本体部３の内面には突起３ａを形成して、配線端子ｗ（リード線Ｌ）との密着力を高める構造にする。
【００２３】
支持具２の支持本体部７も、配線端子ｗを構成するリード線Ｌに装着し得るように横断面がＣ字形状を有する。この縦長の開口からリード線Ｌを挟み込むように装着する。図２（ｃ）に示すように、支持本体部７の内面にも突起７ａを形成して、配線端子ｗ（リード線Ｌ）との密着力を高める構造にする。
【００２４】
図３は配電盤から外した配線端子と、これに並列して保持具を装着した配線端子とを示す斜視図である。図４は配電盤から外した配線端子に保持具を装着し、配線端子の端子部を端子当て部と可動端子当て部で挟んだ状態を示す斜視図である。
保持具１は、保持本体部３の縦長の開口からリード線Ｌを挟み込むように装着する。この保持本体部３の内径は、リード線Ｌの外径よりやや長くする。保持具１をリード線Ｌに装着したときに外れやすい程度の緩さでは、保持具１としての機能を発揮できない。逆に、保持具１をリード線Ｌに装着したときに外れにくいときは、装着が困難かつ取り外しに時間を要し、作業性が低下する。
【００２５】
保持本体部３の長手方向の一端側に端子当て部５が連続して設けられている。この端子当て部５は、可動端子当て部６の突起８を嵌合させる貫通孔９を開けている。この貫通孔９は、ねじｓを外す際又は締結する際の何れのときにもドライバーを差し込むときに利用する。この端子当て部５と保持本体部３の端部とは延長部４で連結されている。この延長部４も保持本体部３と同じ材質の可撓性を有する材質から成る。これは、リード線Ｌ部分と端子部ｔとの間に間隔又はリード線Ｌの長手方向に対して端子部ｔの平面が並行の場合と、少し上向きに傾斜しているものがあり、配線端子ｗは常に同じ形状に限らない。そこで、それらの形状、寸法が若干相違する何れの配線端子ｗにも装着できるようにするためである。
【００２６】
図４の斜視図に示すように、端子当て部５に連続して設けている可動端子当て部６は、連結部１０で折り曲げ可能になる。可動端子当て部６には突起８を形成している。この突起８は、端子当て部５の貫通孔９に嵌脱自在に嵌合する。配線端子ｗを配電盤ｄから取り外しているときに、この突起８は、配線端子ｗの端子部ｔの孔に通し、更に端子当て部５の貫通孔９に嵌合して、この端子部ｔを端子当て部５と可動端子当て部６で挟む際に固定する機能を有する。
【００２７】
図５は配電盤に取り付けている配線端子と、これに並列して支持具を装着した配線端子とを示す斜視図である。
支持具２の支持本体部７も横断面がＣ字形状を有する。支持具２の支持本体部７と保持具１の保持本体部３とは、配線端子ｗ（リード線Ｌ）に装着し得る構成であればよいので、この横断面がＣ字形状を有する構成に限定されない。例えば、横断面が略６角形状、そのたの筒形状を有し、その長手方向に開口を有する形状であればよい。
【００２８】
図６は配線端子を装着している支持具と保持具とを第１、第２連結部で連結している状態を示す斜視図である。
保持具１の保持本体部３に第１連結部１１を、支持具２の支持本体部７に第２連結部１２をそれぞれ備えている。この第１連結部１１は第２連結部１２に着脱自在に連結し得る部材である。ここで第１連結部１１と第２連結部１２と称したのは部材の説明の便宜を考慮したためであり、その順序を意味していない。
【００２９】
図１，２に示したように、保持本体部３側方の第１連結部１１はリング状の連結部材である。一方、支持本体部７側方の第２連結部１２は、第１連結部１１のリング状部材に着脱自在に差し込める突起である。この組み合わせは逆に構成しても勿論問題ない。即ち、保持本体部３に突起を設け、支持本体部７にリング状の連結部材を設けることも可能である。
【００３０】
更に、保持具１の保持本体部３と支持具２の支持本体部７とを一時的に連結し、必要に応じて分離できるものであれば、これらの第１連結部１１、第２連結部１２はリング状部材と突起の組み合わせに限定されない。例えば、保持本体部３又は支持本体部７に多数のループを植設した部材を貼り付け、一方の支持本体部７又は保持本体部３にこれらの植設したループに引っ掛かる多数の鉤状の繊維材を植設した部材を貼り付けた構成でもよい（図示していない）。
【００３１】
保持具１と支持具２とは、異なる色彩にそれぞれ着色した。例えば、配電盤ｄにおいて着脱する配線端子ｗに装着する保持具１は「赤色」に着色し、配電盤ｄに固定している配線端子ｗに装着する支持具２は「青色」に着色した。これは、通常、着脱する配線にはビニルテープ等で印をつけているが、赤色の保持具１を装着することで、作業対象の配線端子ｗが明確になる。このように目視で容易に確認することで、目的以外の配線端子ｗを着脱することを防止するためである。また保持具１と支持具２は繰り返し使用できる。なお、保持具１の「赤色」と、支持具２の「青色」は一例であって、これら以外の色彩に着色できることは勿論である。
【００３２】
図７は配線端子補助具を構成する保持具でねじの落下を防止している状態を示す側面図である。
保持具１の先端に端子部ｔの絶縁をする端子当て部５と可動端子当て部６を具備しているので、配線端子ｗの端子部ｔを挟むことで絶縁できる。このとき端子当て部５には、可動端子当て部６の突起８を差し込む貫通孔９が開けられているために、落下を防止するにねじｓを挟み込んだ端子当て部５の貫通孔９からドライバーを差し込んでこのねじｓを締め付けることができる。逆に、ねじｓを外す際にもこの貫通孔９にドライバーを差し込んで外すことができる。
【００３３】
なお、本発明は、配電盤ｄにおいて着脱する配線端子ｗに一時的に装着することで、複数の配線端子ｗを安全かつ容易に着脱でき、着脱する配線端子ｗ側と固定する側の保持具１・支持具２の色を区別することにより配線端子ｗの誤認を防止でき、ねじｓの落下を防止できる構成であれば、上述した発明の実施の形態に限定されず、本発明の要旨を逸脱しない範囲で種々変更できることは勿論である。
【産業上の利用可能性】
【００３４】
本発明の配線端子補助具は、配電盤において配線端子を着脱する作業以外に、複数の配線を着脱する際に、それらの結線などを間違いなく作業するときに利用することができる。
【符号の説明】
【００３５】
１  保持具
２  支持具
３  保持本体部
５  端子当て部
６  可動端子当て部
７  支持本体部
８  突起
９  貫通孔
１０  連結部
１１  第１連結部（リング状部材）
１２  第２連結部（突起）
ｓ  ねじ
ｄ  配電盤
ｗ  配線端子
Ｌ  リード線
【図１】
2013128360.tif 000003
【図２】
2013128360.tif 000004
【図３】
2013128360.tif 000005
【図４】
2013128360.tif 000006
【図５】
2013128360.tif 000007
【図６】
2013128360.tif 000008
【図７】
2013128360.tif 000009